(57)【要約】【課題】            送風ファンの風の吹出し部に設置する芳香装置の構造に関する。【解決手段】        送風ファン１の風の吹出し部２には送風ファン１方向へ物の侵入を防ぐガード２ａを設け、このガード２ａに芳香剤３を収納した容器４を着脱自在に取付ける。容器４は、ガード２ａの表面に容器底部５を配置するための係止部５ｄと、容器底部５の外周から立ち上げた円形のガイド壁５ａと、ガイド壁５ａに嵌合する円形の側壁６ａを備えた容器蓋６と、側壁６ａを含む容器蓋６とガイド壁５ａとの間に容器４内への空気流路となる隙間７を形成しながら容器蓋６と容器底部５とを芳香剤３を収納して一体に組み合わせる取付け片５ｃ・６ｃとを設ける。取付け片５ｃ・６ｃは容器底部５に対して容器蓋６を回動自在に保持しており、容器底部５のガイド壁５ａと容器蓋６の側壁６ａには対向する開口５ｂ・６ｂを設け、容器蓋６の回動時に開口５ｂ・６ｂの開口率が変化して香りの調節ができる。【選択図】          図１
2006034863.tif 000002
【特許請求の範囲】
【請求項１】
送風ファンの風の吹出し部にはこの送風ファン方向へ物の侵入を防ぐガードを設け、このガードに芳香剤を収納した容器を着脱自在に取付ける芳香装置であって、
前記容器は、ガードの表面に容器底部を配置するためのガードへ向けて突出した係止部と、該容器底部の外周から立ち上げた円形のガイド壁と、該ガイド壁に嵌合する円形の側壁を備えた容器蓋と、
前記側壁を含む容器蓋と前記ガイド壁との間に容器内への空気流路となる隙間を形成しながら容器蓋と容器底部とを芳香剤を収納して一体に組み合わせる取付け片とを設け、
この取付け片は容器底部に対して容器蓋を回動自在に保持しており、前記容器底部のガイド壁と容器蓋の側壁には対向する開口を設け、
前記容器蓋回動時に前記開口の開口率を変化させたことを特徴とする送風ファンの吹出し部に設置する芳香装置。
【請求項２】
前記容器底部のガイド壁と容器蓋の側壁とに設けた対向する開口は複数個の小孔で構成し、
前記容器蓋回動時に閉ざされる小孔数を変化させたことを特徴とする請求項１に記載の送風ファンの吹出し部に設置する芳香装置。
【請求項３】
前記容器底部のガイド壁と容器蓋の側壁とに設けた対向する開口部分の隙間には、他の部分の隙間よりもせまくする遮蔽部を形成したことを特徴とする請求項１に記載の送風ファンの吹出し部に設置する芳香装置。
【請求項４】
前記容器には芳香剤が含浸した粒子状担体が容器の上部に空間を形成させて収納されており、
前記容器を送風ファンの風の吹出し部に設置した時において、前記開口はこの容器上部の空間にのぞませて配置すると共に、前記容器蓋には容器内の芳香剤が含浸した粒子状担体に向けて緩やかな突出湾曲面が形成されていることを特徴とする請求項１に記載の送風ファンの吹出し部に設置する芳香装置。
【発明の詳細な説明】
【技術分野】
【０００１】
この発明は、送風ファンによって発生する風を吹出し部から吹出しする送風装置を備えた機器に設置する芳香装置に関するものである。
【背景技術】
【０００２】
芳香剤には消臭効果だけでなく、芳香剤から放出される香りを楽しむことでリラックス効果や気分転換にも効果があることが注目されており、最近は空気調和機などの送風装置を備えた機器の送風流路内に芳香装置を組み込んだものが好まれており、芳香剤に送風ファンの風をあてることで芳香剤の香りを室内に放出するものがある（特許文献１参照）。
【特許文献１】特開２０００−１８９５０５号公報
【発明の開示】
【発明が解決しようとする課題】
【０００３】
芳香剤は時間がたつにつれて効果が薄くなり、香りが弱くなるので、定期的に芳香剤の補充や交換が必要となるが、空気調和機などの枠体内に芳香装置を組み込んだ構造では、芳香剤の交換や補充を行うときには製品を分解しなければならないため作業が面倒であり、使い勝手の悪いものとなってしまう。
【０００４】
また、芳香剤の香りの種類や強さは人によって好みに差があるため、ユーザーがそれぞれ自分の好みに合った芳香剤を使用したい要求がある。香りの好みは芳香剤を交換することで選択し、香りの強さは芳香剤にあてる送風量で調整している。香りを弱くするときに送風量を低下させる構造にすると送風装置としての性能が発揮できなくなるので、送風ファンの送風量を変えずに芳香剤にあてる風の量を低下させる必要があるが、枠体内の構造が複雑になってコスト高になってしまう。
【０００５】
また、芳香剤の香りは枠体内の送風流路や吹出し部に付着して残るため、空気調和機などの送風装置を備えた機器に芳香装置を組み込んだ場合には、空気調和機を単独で運転したいときでも、枠体内に付着して残る芳香剤の香りが吹出し部から放出されてしまうものであった。更に、枠体内に付着して残る芳香剤の香りをそのままにしておくと、芳香剤の香りに他の臭い成分が混じって香りが変化し、枠体内から悪臭を発生させる原因となることもあった。
【課題を解決するための手段】
【０００６】
この発明は上記の課題を解決するもので、送風ファンの風の吹出し部にはこの送風ファン方向へ物の侵入を防ぐガードを設け、このガードに芳香剤を収納した容器を着脱自在に取付ける芳香装置であって、前記容器は、ガードの表面に容器底部を配置するためのガードへ向けて突出した係止部と、該容器底部の外周から立ち上げた円形のガイド壁と、該ガイド壁に嵌合する円形の側壁を備えた容器蓋と、前記側壁を含む容器蓋と前記ガイド壁との間に容器内への空気流路となる隙間を形成しながら容器蓋と容器底部とを芳香剤を収納して一体に組み合わせる取付け片とを設け、この取付け片は容器底部に対して容器蓋を回動自在に保持しており、前記容器底部のガイド壁と容器蓋の側壁には対向する開口を設け、前記容器蓋回動時に前記開口の開口率を変化させたことを特徴とするものである。
【０００７】
また、容器底部のガイド壁と容器蓋の側壁とに設けた対向する開口は複数個の小孔で構成し、容器蓋回動時に閉ざされる小孔数を変化させることで容易に開口の開口率を変化させることができる。
【０００８】
また、容器底部のガイド壁と容器蓋の側壁とに設けた対向する開口部分の隙間には、他の部分の隙間よりもせまくする遮蔽部を形成することで、隙間から流入した空気は直接開口に向かうことなく容器内に流入するので、空気を効率よく芳香剤に送ることができる。
【０００９】
また、容器には芳香剤が含浸した粒子状担体が容器の上部に空間を形成させて収納されており、容器を送風ファンの風の吹出し部に設置した時において、開口はこの容器上部の空間にのぞませて配置すると共に、容器蓋には容器内の芳香剤が含浸した粒子状担体に向けて緩やかな突出湾曲面が形成され、容器内に流入した送風ファンの風は突出湾曲面に沿って上昇するときに容器底部側に送られるから、容器内の芳香剤の全体に空気流を通過させることができる。
【発明の効果】
【００１０】
上記課題を解決するこの発明は、容器蓋と容器底部とを一体に組み合わせて形成した容器に芳香剤を収納し、この容器を送風ファンの風の吹出し部に設けたガードに取付けたものであり、送風ファンの風は容器蓋と容器底部のガイド壁との間に形成した隙間から容器内に流入し、芳香剤の間を通過した空気流が容器底部のガイド壁と容器蓋の側壁に設けた開口から吹出すことで芳香剤の香りを室内に放出するものであり、送風装置を備えた各種の機器の送風ファンの吹出し部に容器を取付けることで簡単に芳香装置を構成できるものとなった。
【００１１】
また、送風ファンの吹出し部に取付けた容器は、容器底部に対して容器蓋が回動自在に保持されており、この容器蓋の回動時に開口の開口率が変化するから、開口から放出される香りの強さが容易に調整できるものとなった。
【００１２】
また、容器は容器底部に形成した係止部によってガードに着脱自在に取付けられているから、ガードへの着脱作業が簡単にできるものであり、芳香剤の交換や補充作業が容易にできるものとなった。
【００１３】
また、従来のように芳香装置を空気調和機などの送風装置を備えた機器の枠体内に組み込んだ構造では送風装置の枠体内に香りが付着してしまう問題があったが、この発明の芳香装置は送風ファンの吹出し部に芳香剤を収納した容器を取付ける構成であるから、悪臭の原因となる枠体内への芳香剤の付着が防止できると共に、容器を取外せば芳香剤の香りが放出されることはなくなるので、使い勝手が向上できた。
【００１４】
また、容器底部のガイド壁と容器蓋の側壁とに設けた開口を複数個の小孔で構成し、容器蓋の回動時に閉ざされる小孔数を変化させることで開口率が変化して香りの強さの調整ができるものであり、この小孔の径や配置を変更することで、室内に放出される香りの強さを変えずに空気の吹出し方向を変えたり、空気の吹出し方向を変えずに香りの強さを変更できるものとなる。
【００１５】
また、ガイド壁と側壁とに設けた対向する開口部分には遮蔽部を形成し、開口を設けた部分の隙間を他の部分の隙間よりもせまくしたから、隙間から流入した空気は開口部分に向かうことなく確実に容器内に送ることができ、芳香剤の間を通過した空気は隙間に流れることなく開口から吹出すので、送風ファンの風のロスが少なく芳香剤の香りを効率よく室内に放出することができる。
【００１６】
また、前記開口は容器を送風ファンの吹出し部に設置したときに容器の上部に位置するように配置し、容器蓋には容器内に収納した芳香剤が含浸した粒子状担体に向けてゆるやかな突出湾曲面を形成したから、容器下部の隙間から流入して開口に向かう空気は突出湾曲面に沿って流れるときに容器底部側に向かい、容器底部側の芳香剤を含浸した粒子状担体の間を通過して開口に向かうので、送風ファンの風を容器内の全体に送ることができ、芳香剤の香りを効率よく室内に放出させることができるものとなった。
【発明を実施するための最良の形態】
【００１７】
図に示す実施例によってこの発明を説明すると、９は空気調和機などの既設の送風装置を備えた機器の枠体、１０は枠体９の背面側に配置されて室内空気を取入れる吸込み部、２は枠体９の前面に開口によって形成した吹出し部、１１は枠体９の背面の吸込み部１０から枠体９の前面の吹出し部２に向かう流路を枠体９内に形成する送風流路である。
【００１８】
１は枠体９の背面に位置する送風流路１１の入口側の吸込み部１０に設けた送風ファンであり、送風ファン１を運転すると室内の空気は吸込み部１０から吸込まれて送風流路１１を通過し、送風流路１１の出口側に位置する吹出し部２から吹出すものである。２ａは吹出し部２に設けて送風流路１１内への物の侵入を防ぐガードである。
【００１９】
図１に示す実施例の送風装置は、空気清浄機を構成したもので、１２は吸込み部１０の内側の送風流路１１に設けたフィルタ機構、１３は枠体９内の送風流路１１を前後に仕切る仕切板、１３ａは仕切板１３に設けた空気通過部であり、前記送風ファン１は仕切板１３より枠体前面側の送風流路１１に配置され、送風ファン１を運転すると枠体９の背面の吸込み部１０から仕切板１３の空気通過部１３ａに向かう空気流を形成し、フィルタ機構１２を通過するときに空気中のゴミや埃が捕集されて清浄な空気となる。
【００２０】
１ａは送風ファン１の周囲に形成して空気流を上部に向ける送風ケーシング、１４は送風ケーシング１ａの出口と吹出し部２とを連通する誘導部であり、送風ファン１によってフィルタ機構１２を通過した空気は空気通過部１３ａから吸引して送風ケーシング１ａ内で上方に向け、送風ケーシング１ａの出口から誘導部１４を経て吹出し部２から室内に清浄空気を吹出すものである。
【００２１】
この発明は送風装置を備えた空気調和機などの送風ファン１の吹出し部２に設置する芳香装置であり、４は吹出し部２のガード２ａに着脱自在に取付けた芳香装置を構成する容器、３は該容器４内に収納される固体もしくは液体で構成された芳香剤であり、芳香剤３が固形の場合は芳香剤３をそのまま容器４内に収納して使用し、芳香剤３が液体の場合は布等に芳香剤３をしみこませ、これを容器４に収納して使用するものである。
【００２２】
５は容器４の底板を構成する容器底部、６は容器４の上板を構成する容器蓋、５ａは容器底部５の外周から立ち上げた円形のガイド壁、６ａは容器底部５のガイド壁５ａに嵌合する容器蓋６の円形の側壁であり、容器底部５と容器蓋６を一体に組み合わせて容器４を構成したときに容器蓋６の側壁６ａが容器底部５のガイド壁５ａの外側に位置する。
【００２３】
５ｃは容器底部５のガイド壁５ａの外側面に形成した取付け片、６ｃは容器蓋６の側壁６ａの内側面の容器底部５の取付け片５ｃに対応する位置に形成した取付け片であり、芳香剤３を収納した容器底部５に容器蓋６を取付けると容器底部５の取付け片５ｃと容器蓋６の取付け片６ｃとが係合して一体の容器４が構成される。
【００２４】
図２に示すように、実施例の容器底部５の取付け片５ｃはガイド壁５ａ外周面に円周方向に沿って突部を形成し、この突部の両端に回転規制部を形成して構成したものであり、一方、容器蓋６の取付け片６ｃは側壁６ａから容器蓋６の中心に向かって突出させた突起で構成したものであり、容器蓋６の取付け片６ｃを構成する突起が容器底部５の取付け片５ｃを形成する突部を乗り越えて係合する。
【００２５】
７は容器蓋６の側壁６ａと容器底部５のガイド壁５ａとの間に形成される隙間であり、容器底部５のガイド壁５ａから突出する取付け片５ｃが容器蓋６の側壁６ａの内面に接触し、容器蓋６の側壁６ａから突出する取付け片６ｃが容器底部５のガイド壁５ａの外側面に接触するので、取付け片５ｃ・６ｃのない部分のガイド壁５ａと側壁６ａとの間に隙間７を形成することができる。
【００２６】
また、取付け片５ｃ・６ｃは容器底部５に対して容器蓋６を回動自在に保持するものであり、容器蓋６の取付け片６ｃを構成する突起が容器底部５の取付け片５ｃを構成する突出部の両端の回転規制部の間を移動できるものとなっており、容器蓋６は取付け片５ｃの回転規制部の範囲内で回動することができる。
【００２７】
５ｄは容器４を吹出し部２に取付けるために容器底部５に設けた係止部であり、該係止部５ｄは容器底部５からガード２ａに向けて形成している。図に示す実施例のガード２ａは多数の横桟を配置した構成であり、容器底部５に設けた係止部５ｄは上下に配置した２枚の平板の先端に爪を設けた形状であり、係止部５ｄをガード２ａの間に挿入すると係止部５ｄの先端の爪がガード２ａに係止して容器４をガード２ａの表面に取付けることができる。
【００２８】
５ｂは容器底部５のガイド壁５ａに設けた開口、６ｂは容器蓋６の側壁６ａに設けた開口であり、容器蓋６の開口６ｂと容器底部５に設けた開口５ｂとが対向し、容器４内と外部とが連通する。
【００２９】
送風ファン１を運転して吹出し部２から空気が吹出すと、送風ファン１の風の一部が容器４の隙間７へ流入し、容器底部５のガイド壁５ａの先端から容器４内に流入し、容器４内に収納した芳香剤３の間を通過しながら容器底部５の開口５ｂに向かい、開口５ｂを通過した空気は開口６ｂから外部に吹出し、芳香剤３の香りがこの空気と一緒に開口５ｂ・６ｂから外部へ放出されており、芳香剤３の香りは吹出し部２から吹出す送風ファン１の風と一緒に室内に送られるので、芳香剤３の香りが室内に広がるものである。
【００３０】
吹出し部２に取付けられた容器４の容器蓋６を回動すると、容器底部５の開口５ｂに対して容器蓋６の開口６ｂの位置が変化するので、開口５ｂと開口６ｂとの重なる部分が変化して開口率が変化するものであり、図に示すこの発明の実施例では容器蓋の突起が容器底部の一方の回転制御部に位置するときに開口６ｂが開口５ｂと一致しており、この位置から容器蓋６を回動していくと開口６ｂが開口５ｂと重なる部分が少なくなっていき、容器蓋６を突起が他方の回転制御部に位置するときに開口６ｂが開口５ｂとは対向しない位置関係となって開口５ｂ・６ｂが閉じた状態となる。
【００３１】
このように開口５ｂ・６ｂの開口率を変化させることで開口５ｂ・６ｂから吹出される空気量が変化するので、開口５ｂ・６ｂを一致させたときには放出される芳香剤３の量が多くなって香りが強くなり、この位置から容器蓋６を回動していくと開口面積が少しずつ狭くなって放出される芳香剤３の量が少なくなって香りが弱くなり、容器蓋６を他側まで回動させると開口が閉じた状態になるので香りが放出されなくなるものであり、香りの強さの調整が簡単にできるものとなった。そして、容器蓋６を回動して開口５ｂ・６ｂを完全に閉じた状態にすれば、芳香剤３の香りが開口５ｂ・６ｂから放出されることはなくなり、送風装置を単独で運転することができる。
【００３２】
また、芳香剤３を収納する容器４が吹出し部２のガード２ａに着脱自在に取付けられているから、芳香剤３の交換や補充を行うときには容器４をガード２ａから取外して容器底部５と容器蓋６を分解すればよく、送風装置を分解する必要はなくなり、芳香剤３の交換や補充が容易にできるものとなり、使い勝手が向上できた。
【００３３】
更に、容器４を枠体９外に取付けた構造であるから、枠体９内の送風流路１１や送風ファン１などに芳香剤３の香りが付着しにくくなり、芳香装置を必要としないときに容器４をガード２ａから取外しておけば、芳香剤３の香りが室内に拡散されることはなく空気調和機を単独で運転することができると共に、悪臭の原因となる香りの付着を防止できるものとなった。
【００３４】
また、この発明の他の実施例では、容器底部５のガイド壁５ａと容器蓋６の側壁６ａとに設けた対向する開口５ｂ・６ｂを複数個の小孔で構成したものであり、容器蓋６の回動時に閉ざされる小孔数を変化させることで開口率を変化さており、香りの強さの調整を行うことができるようになっている。
【００３５】
そして、開口５ｂ・６ｂを構成する小孔のピッチや径、配置を変更することによって開口５ｂ・６ｂから吹出される空気の吹出し方向や吹出し量の設定ができるものであり、空気（香り）の吹出し方向は変えずに香りの強さを変更したり、香りの強さは変えずに空気（香り）吹出し方向を変更することができるものとなった。また、開口５ｂ・６ｂの形状は小孔だけに限ったものではなく、開口５ｂ・６ｂを複数個の小孔と複数個の長孔を組み合わせた構造にしてもよい。
【００３６】
ところで、容器底部５のガイド壁５ａと容器蓋６の側壁６ａとの隙間７が開口５ｂ・６ｂを設けた部分にも形成されていると、隙間７に流入した空気が容器４内に向かわず、隙間７に流入した空気が直接容器蓋６の開口６ｂから吹出されてしまうことがあり、容器４内に収納した芳香剤３に効率よく空気を通過させることができないものであった。
【００３７】
この発明の実施例において、８は容器底部５のガイド壁５ａと容器蓋６の側壁６ａとに設けた対向する開口５ｂ・６ｂよりも側壁先端側の隙間７を、他の部分の隙間７よりもせまくする遮蔽部であり、図３、図４に示すように、この発明の実施例では、開口６ｂを設けた部分の容器蓋６の側壁６ａの板厚を他の部分よりも厚くした構成であり、容器底部５と容器蓋６を組み合わせたときにガイド壁５ａと側壁６ａとの隙間７が狭くなって遮蔽部８が形成されている。
【００３８】
この構成によって、隙間７から流入した空気流は遮蔽部８に遮られて開口５ｂ・６ｂ部分に向かうことはなく、この隙間７に流入した空気は確実に容器４内に向かうものとなり、容器４内に収納した芳香剤３に効率よく空気を通過させることができるものとなった。また、容器蓋６を回動して開口５ｂ・６ｂを閉じたときも、側壁６ａの開口６ｂとガイド壁５ａとの間の隙間がせまくなっているから、開口６ｂから空気が流出することはなく、芳香剤３の香りが外部に放出されることはなくなった。
【００３９】
また、図５に示すこの発明の他の実施例において、３ａは芳香剤を含浸した粒子状担体、６ｄは容器蓋６から容器４内に収納された芳香剤３を含浸した粒子状担体３ａに向けて形成した突出湾曲面であり、粒子状担体３ａを収納した容器４を送風ファン１の吹出し部２のガード２ａに設置すると、粒子状担体３ａが容器４内の下部側に集まり、容器４の上部に空間が形成されるものであり、前記開口５ｂ・６ｂは容器４を吹出し部２に取付けたときに容器４の上部に位置するように形成され、容器４の上部に形成される空間にのぞませて配置している。
【００４０】
容器底部５と容器蓋６との隙間７から流入した空気は容器底部５のガイド壁５ａの先端から容器４内に送られるため、容器４内の容器蓋６側には空気が流れやすいが、容器底部５側には流れにくいものであり、容器底部５側に収納された粒子状担体３ａを通過する空気が少なくなってしまう恐れがあるが、この発明では容器底部５と容器蓋６の隙間７から容器４内に流入した空気が容器蓋６の突出湾曲面６ｄによって容器底部５側に誘導され、容器底部５側に収納された粒子状担体３ａを通過して開口５ｂ・６ｂに送られるので、容器４内の粒子状担体３ａの全体に空気が行き渡るものとなり、芳香剤３の香りを効率よく室内に拡散させることができるものとなった。
【図面の簡単な説明】
【００４１】
【図１】この発明の実施例を示す送風ファンの吹出し部に設置した芳香装置である。
【図２】この発明の実施例を示す芳香装置を構成する容器の分解斜視図である。
【図３】この発明の他の実施例を示す芳香装置を構成する容器の断面図であり、開口を開いた状態をあらわす。
【図４】図３に示す芳香装置を構成する容器の断面図であり、開口を閉じた状態をあらわす。
【図５】この発明の他の実施例を示す芳香装置を構成する容器の側断面図である。
【符号の説明】
【００４２】
１    送風ファン
２    吹出し部
２ａ  ガード
３    芳香剤
４    容器
５    容器底部
５ａ  ガイド壁
５ｂ  開口
５ｃ  取付け片
５ｄ  係止部
６    容器蓋
６ａ  側壁
６ｂ  開口
６ｃ  取付け片
６ｄ  突出湾曲面
７    隙間
８    遮蔽部
【図１】
2006034863.tif 000003
【図２】
2006034863.tif 000004
【図３】
2006034863.tif 000005
【図４】
2006034863.tif 000006
【図５】
2006034863.tif 000007